(57)【要約】【課題】風選別用の補助送風ファンに対する配置スペースを小型化できるようにする。【解決手段】本願発明のコンバインは、脱穀部９における扱胴９ａの下方に、穀粒選別機構１０として、比重選別用の揺動選別盤２６と風選別用の唐箕ファン２９とを配置する。脱穀部９前部側にある扱口９ａの下方で且つ唐箕ファン２９の前方に、前方吸引後方排気型で横長の補助送風ファン１７０を設ける。脱穀部９の前面側に横長の吸引口１７８を形成する。吸引口１７８から補助送風ファン１７０で外気を取り込むように構成する。【選択図】図５
2018166488.tif 000002
【特許請求の範囲】
【請求項１】
脱穀部における扱胴の下方に、穀粒選別機構として、比重選別用の揺動選別盤と風選別用の唐箕ファンとを配置しているコンバインにおいて、
前記脱穀部前部側にある扱口の下方で且つ前記唐箕ファンの前方に、前方吸引後方排気型で横長の補助送風ファンを設け、前記脱穀部の前面側に横長の吸引口を形成し、前記吸引口から前記補助送風ファンで外気を取り込むように構成している、
コンバイン。
【請求項２】
刈取部のフィーダハウスと前記扱口との間に刈取物導入板を設け、前記脱穀部前面側で且つ前記扱口下方に前記吸引口を形成し、前記吸引口前方に前記刈取物導入板を位置させている、
請求項１に記載のコンバイン。
【請求項３】
前記揺動選別盤前面側と前記唐箕ファンのケーシングとの間を流通路に構成し、前記補助送風ファンからの補助選別風を前記流通路に導入するように構成している、
請求項１又は２に記載のコンバイン。
【請求項４】
前記揺動選別盤前面側と前記唐箕ファンのケーシングとに、前向きに延びる上下の延設板を設け、前記上下の延設板によって前記補助送風ファンの上下を囲い、前記上下の延設板で囲われた空間に前記吸引口を連通させている、
請求項１又は２に記載のコンバイン。
【発明の詳細な説明】
【技術分野】
【０００１】
本願発明は、本願発明は、圃場に植立した穀稈を刈り取って穀粒を収集するコンバインに関するものである。
【背景技術】
【０００２】
従来、コンバインは、脱穀後の穀粒を選別する穀粒選別機構として、比重選別用の揺動選別盤と風選別用の唐箕ファンとを備えている。また、脱穀後の穀粒に対する風選別性能の向上のため、唐箕ファンの前方で且つ揺動選別盤を構成するグレンパン直下に、補助送風ファンを設けることもよく知られている（例えば特許文献１及び２等参照）。
【先行技術文献】
【特許文献】
【０００３】
【特許文献１】特許第３４９５２４３号公報
【特許文献２】特許第４５９０６１２号公報
【発明の概要】
【発明が解決しようとする課題】
【０００４】
前記従来の補助送風ファンは、側方吸引後方排気型のものであり、風量確保の関係で比較的大型の補助送風ファンを採用する必要がある。この点、前記従来技術では、扱胴下方にあるグレンパンの直下を補助送風ファンの配置スペースにしている関係で、グレンパン直下のスペースを大型化しなければならず、補助送風ファン配置スペースの大型化、ひいては穀粒選別機構を含む脱穀部の大型化を招来するという問題があった。
【課題を解決するための手段】
【０００５】
本願発明は、上記のような現状を検討して改善を施したコンバインを提供することを技術的課題としている。
【０００６】
本願発明は、脱穀部における扱胴の下方に、穀粒選別機構として、比重選別用の揺動選別盤と風選別用の唐箕ファンとを配置しているコンバインにおいて、前記脱穀部前部側にある扱口の下方で且つ前記唐箕ファンの前方に、前方吸引後方排気型で横長の補助送風ファンを設け、前記脱穀部の前面側に横長の吸引口を形成し、前記吸引口から前記補助送風ファンで外気を取り込むように構成しているというものである。
【０００７】
本願発明のコンバインにおいて、刈取部のフィーダハウスと前記扱口との間に刈取物導入板を設け、前記脱穀部前面側で且つ前記扱口下方に前記吸引口を形成し、前記吸引口前方に前記刈取物導入板を位置させるようにしてもよい。
【０００８】
本願発明のコンバインにおいて、前記揺動選別盤前面側と前記唐箕ファンのケーシングとの間を流通路に構成し、前記補助送風ファンからの補助選別風を前記流通路に導入するように構成してもよい。
【０００９】
本願発明のコンバインにおいて、前記揺動選別盤前面側と前記唐箕ファンのケーシングとに、前向きに延びる上下の延設板を設け、前記上下の延設板によって前記補助送風ファンの上下を囲い、前記上下の延設板で囲われた空間に前記吸引口を連通させるようにしてもよい。
【発明の効果】
【００１０】
本願発明によると、脱穀部における扱胴の下方に、比重選別用の揺動選別盤と風選別用の唐箕ファンとを配置しているコンバインにおいて、前記扱胴の前方にある扱口の下方で且つ前記唐箕ファンの前方に、前方吸引後方排気型で横長の補助送風ファンを設け、前記脱穀部の前面側に横長の吸引口を形成し、前記吸引口から前記補助送風ファンで外気を取り込むように構成しているから、側方吸引後方排気型である従来の補助送風ファンよりも小型の前記補助送風ファンを採用できる。前記補助送風ファンを小型化することによって、補助送風ファン配置スペースをコンパクト化でき、ひいては前記脱穀部のコンパクト化を図れる。
【図面の簡単な説明】
【００１１】
【図１】コンバインの左側面図である。
【図２】コンバインの平面図である。
【図３】コンバインの駆動系統図である。
【図４】脱穀部の左側面断面図である。
【図５】脱穀部を左斜め前方から見た斜視図である。
【図６】ビータ駆動機構及び唐箕駆動機構を示す斜視図である。
【発明を実施するための形態】
【００１２】
本願発明を具体化した実施形態を普通型コンバイン（以下、単にコンバインという）に適用した図面（図１〜図６）に基づき説明する。まず、コンバインの概略構造について説明する。なお、以下の説明では、走行機体１の前進方向に向かって左側を単に左側と称し、同じく前進方向に向かって右側を単に右側と称する。
【００１３】
図１及び図２に示すように、実施形態のコンバインは、走行部としてのゴムクローラ製の左右一対の履帯２にて支持された走行機体１を備える。走行機体１の前部には、稲、麦、大豆又はトウモロコシといった穀物の未刈り穀桿を刈取りながら取込む刈取部３が単動式の昇降用油圧シリンダ４にて昇降調節可能に装着されている。
【００１４】
走行機体１の左側には、刈取部３から供給された刈取穀稈を脱穀処理するための脱穀部９を搭載する。脱穀部９の下部には、揺動選別及び風選別を行うための穀粒選別機構１０を配置する。走行機体１の前部右側には、オペレータが搭乗する操縦部としての運転台５を搭載する。運転台５（運転座席４２の下方）には、動力源としてのエンジン７を配置する。運転台５の後方（走行機体１の右側）には、脱穀部９から穀粒を取出すグレンタンク６と、トラック荷台（またはコンテナなど）に向けてグレンタンク６内の穀粒を排出する穀粒排出コンベヤ８を配置する。穀粒排出コンベヤ８を機外側方に傾倒させて、グレンタンク６内の穀粒を穀粒排出コンベヤ８にて搬出するように構成している。
【００１５】
刈取部３は、脱穀部９前部の扱口９ａに連通したフィーダハウス１１と、フィーダハウス１１の前端に連設された横長バケット状の穀物ヘッダー１２とを備える。穀物ヘッダー１２内に掻込みオーガ１３（プラットホームオーガ）を回転可能に軸支する。掻込みオーガ１３の前部上方にタインバー付きの掻込みリール１４を配置する。穀物ヘッダー１２の前部にバリカン状の刈刃１５を配置する。穀物ヘッダー１２前部の左右両側に左右の分草体１６を突設する。また、フィーダハウス１１に供給コンベヤ１７を内設する。供給コンベヤ１７の送り終端側（扱口９ａ）に刈取り穀稈投入用ビータ１８（フロントロータ）を設ける。なお、フィーダハウス１１の下面部と走行機体１の前端部とが昇降用油圧シリンダ４を介して連結され、後述する刈取入力軸８９（フィーダハウスコンベヤ軸）を昇降支点として、刈取部３が刈取昇降用油圧シリンダ４にて昇降動する。
【００１６】
上記の構成により、左右の分草体１６間の未刈り穀稈の穂先側が掻込みリール１４にて掻込まれ、未刈り穀稈の稈元側が刈刃１５にて刈取られ、掻込みオーガ１３の回転駆動によって、穀物ヘッダー１２の左右幅の中央部寄りのフィーダハウス１１入口付近に刈取穀稈が集められる。穀物ヘッダー１２の刈取穀稈の全量は、供給コンベヤ１７によって搬送され、ビータ１８によって脱穀部９の扱口９ａに投入される。なお、穀物ヘッダー１２を水平制御支点軸回りに回動させる水平制御用油圧シリンダ（図示省略）を備え、穀物ヘッダー１２の左右方向の傾斜を前記水平制御用油圧シリンダにて調節して、穀物ヘッダー１２、刈刃１５及び掻込みリール１４を圃場面に対して水平に支持することも可能である。
【００１７】
また、図４に示すように、脱穀部９の扱室内に扱胴２１を回転可能に設ける。走行機体１の前後方向に延長させた扱胴軸２０（図３及び図４参照）に扱胴２１を軸支する。扱胴２１の下方側には、穀粒を漏下させる受網２４を張設する。なお、扱胴２１前部の外周面には、螺旋状のスクリュー羽根状の取込み羽根２５が半径方向外向きに突設されている。
【００１８】
上記の構成により、ビータ１８によって扱口９ａから投入された刈取穀稈は、扱胴２１の回転によって走行機体１の後方に向けて搬送されながら、扱胴２１と受網２４との間などにて混練されて脱穀される。受網２４の網目よりも小さい穀粒等の脱穀物は受網２４から漏下する。受網２４から漏下しない藁屑等は、扱胴２１の搬送作用によって、脱穀部９後部の排塵口２３から圃場に排出される。
【００１９】
なお、扱胴２１の上方側には、扱室内の脱穀物の搬送速度を調節する複数の送塵弁（図示省略）を回動可能に枢着する。前記送塵弁の角度調整によって、扱室内の脱穀物の搬送速度（滞留時間）を、刈取穀稈の品種や性状に応じて調節できる。一方、脱穀部９の下方に配置された穀粒選別機構１０として、グレンパン、チャフシーブ、グレンシーブ及びストローラック等を有する比重選別用の揺動選別盤２６を備える。
【００２０】
また、穀粒選別機構１０として、揺動選別盤２６に選別風を供給する唐箕ファン２９等を備える。扱胴２１にて脱穀されて受網２４から漏下した脱穀物は、揺動選別盤２６の比重選別作用との唐箕ファン２９の風選別作用とにより、穀粒（精粒等の一番物）、穀粒と藁の混合物（枝梗付き穀粒等の二番物）、及び藁屑等に選別されて取出されるように構成する。
【００２１】
揺動選別盤２６の下側方には、穀粒選別機構１０として、一番コンベヤ機構３０及び二番コンベヤ機構３１を備える。揺動選別盤２６及び唐箕ファン２９の選別によって、揺動選別盤２６から落下した穀粒（一番物）は、一番コンベヤ機構３０及び揚穀コンベヤ３２によってグレンタンク６に収集される。穀粒と藁の混合物（二番物）は、二番コンベヤ機構３１及び二番還元コンベヤ３３等を介して揺動選別盤２６の選別始端側に戻され、揺動選別盤２６によって再選別される。藁屑等は、走行機体１後部の排塵口２３から圃場に排出されるように構成する。
【００２２】
更に、図１〜図３に示す如く、運転台５には、操縦コラム４１と、オペレータが座乗する運転座席４２とを配置している。操縦コラム４１には、エンジン７の回転数を調節するアクセルレバー（図示省略）と、オペレータの回転操作にて走行機体１の進路を変更する操縦ハンドル４３と、走行機体１の移動速度を切換える主変速レバー４４及び副変速レバー（図示省略）と、刈取部３を駆動または停止操作する刈取クラッチレバー（図示省略）と、脱穀部９を駆動または停止操作する脱穀クラッチレバー（図示省略）が配置されている。また、グレンタンク６の前部上面側にサンバイザー支柱４８を介して日除け用の屋根体４９を取付け、日除け用の屋根体４９にて運転台５の上方側を覆うように構成している。
【００２３】
図１、図２に示す如く、走行機体１の下面側に左右のトラックフレーム５０を配置している。トラックフレーム５０には、走行部としての履帯２にエンジン７の動力を伝える駆動スプロケット５１と、履帯２のテンションを維持するテンションローラ５２と、履帯２の接地側を接地状態に保持する複数のトラックローラ５３と、履帯２の非接地側を保持する中間ローラ５４とを設けている。駆動スプロケット５１によって履帯２の前側を支持させ、テンションローラ５２によって履帯２の後側を支持させ、トラックローラ５３によって履帯２の接地側を支持させ、中間ローラ５４によって履帯２の非接地側を支持させるように構成する。
【００２４】
次に、図４〜図６等を参照しながら、脱穀部９の詳細構造について説明する。図４に示すように、脱穀部９は、穀稈脱穀用の扱胴２１と、扱胴２１の下方に落下する脱粒物を揺動選別する揺動選別盤２６と、風選別用の唐箕ファン２９並びに補助送風ファン１７０とを備えている。扱胴２１の前部側はフィーダハウス１１に連通する扱口９ａに臨ませている。実施形態では、脱穀部９の骨組を構成する左右一対の前支柱３４の前部上面側に、刈取り支持枠体３６を設けている。刈取り支持枠体３６の内部に形成した投入室１７１に、刈取り穀稈投入用のビータ１８（フロントロータ）を回転可能に配置している。投入室１７１の前面側はフィーダハウス１１の後端側に連通し、投入室１７１の後面側は脱穀部９前部側に形成した扱口９ａに連通している。従って、フィーダハウス１１は、ビータ１８を収容した投入室１７１を介して脱穀部９の扱口９ａに連通している。刈取部３のフィーダハウス１１と脱穀部９の扱口９ａとの間に位置する投入室１７１の底面部１７９が刈取物導入板を構成している。
【００２５】
扱胴２１の後部側は、脱穀部９の後部側に形成した排塵口２３に臨ませている。扱胴２１の下方には、穀粒を漏下させる受網２４を張設している。実施形態では、扱胴２１の後部側は、受網２４の後端よりも更に後方に突出している。扱胴２１の後部下側（受網２４のない開口部分）が排塵口２３になっている。なお、扱胴２１の回転軸芯線は走行機体１の進行方向（前後方向）に沿って延びている。刈取装置３からフィーダハウス１１及びビータ１８を介して脱穀装置の扱口９ａに全量投入された刈取り穀稈が、扱胴２１にて脱穀される。
【００２６】
受網２４の下方に位置する揺動選別盤２６は、揺動リンク１７２を介して前方斜め下向きと後方斜め上向きとに往復揺動可能に構成されている。揺動選別盤２６には、受網２４の前部下方に位置するグレンパン１７３、穀粒漏下量を調節するチャフシーブ１７４、チャフシーブ１７４と一番コンベヤ機構３０との間に配置したグレンシーブ１７６、及びチャフシーブ１７４の後端側に連設したストローラック１７７を有している。
【００２７】
グレンパン１７３の下方に配置した唐箕ファン２９は、グレンシーブ１７６やチャフシーブ１７４を下から上向きに抜けて脱穀部９後部側の排塵口２３に向かう選別風を吹き出すように構成している。補助送風ファン１７０は、唐箕ファン２９による風選別を補助するものである。実施形態の補助送風ファン１７０は、左右横長の形状で且つ前方吸引後方排気型に構成していて、脱穀部９前部側にある扱口９ａの下方で且つ唐箕ファン２９の前方に配置している。補助送風ファン１７０の回転軸である補助ファン軸１８４は、脱穀部９の左右一側から左右他側にわたって延びていて脱穀部９の左右側板に回転可能に軸支している。脱穀部９の前面側には左右横長の吸引口１７８を形成している。吸引口１７８から補助送風ファン１７０に外気を取り込むように構成している。このように構成すると、側方吸引後方排気型である従来の補助送風ファンよりも小型の補助送風ファン１７０を採用できる。補助送風ファン１７０を小型化することによって、補助送風ファン１７０配置スペースをコンパクト化でき、ひいては脱穀部９のコンパクト化を図れる。
【００２８】
補助送風ファン１７０からの補助選別風は、扱口９ａ下方に形成した左右横長の吸引口１７８から、唐箕ファン２９を囲うケーシング１８２とグレンパン１７３との間の流通路１８０を通って、チャフシーブ１７４やグレンシーブ１７６に向かうように構成している。補助選別風がチャフシーブ１７４からグレンシーブ１７６へ落下する脱穀物中の藁屑を後方へ吹き飛ばすことによって、風選別機構全体としての選別性能を向上させている。
【００２９】
図４及び図５に示すように、実施形態の吸引口１７８は、扱口９ａの下方で且つ左右一対の前支柱３４の間において開口させている。吸引口１７８前方には、ビータ１８を収容する投入室１７１の底面部１７９（刈取物導入板）を位置させている。すなわち、正面から見て、投入室１７１の底面部１７９（刈取物導入板）が脱穀部９前面側の吸引口１７８に被さるような位置関係になっている。このように構成すると、補助送風ファン１７０の吸引口１７８を投入室１７１の底面部１７９（刈取物導入板）でカバーする（覆う）状態に保持できるため、例えば刈取り作業時に、コンバイン周辺を飛散する粉塵等が吸引口１７８に取り込まれるおそれを抑制できる。
【００３０】
図４に示すように、揺動選別盤２６（グレンパン１７３）前面側と唐箕ファン２９のケーシング１８２とには、前向きに延びる上下の延設板１８１を設けている。上下の延設板１８１によって補助送風ファン１７０の上下を取り囲んでいる。上下の延設板１８１の前端側はいずれも、扱口９ａ下方の吸引口１７８に臨ませている。上延設板１８１の後端側は、グレンパン１７３の前端側に固定している。下延設板１８１の後端側は、唐箕ファン２９のケーシング１８２の前部側に固定している。補助送風ファンを上下から囲う上下の延設板１８１の存在によって、ケーシング１８２とグレンパン１７３との間の流通路１８０は扱口９ａ下方の吸引口１７８に臨むまで延長している。上下の延設板１８１で囲われた空間（流通路１８０の延長空間）に吸引口１７８が連通している。このように構成すると、吸引口１７８から補助送風ファン１７０を経由する流通路１８０を扱口９ａ下方に簡単な構成で形成でき、補助送風ファン１７０の外気取り込み性能を向上できる。
【００３１】
扱胴２１にて脱穀され受網２４から零れ落ちた脱粒物は、往復揺動する揺動選別盤２６のグレンパン１７３上に落下して比重選別されながら、後方のチャフシーブ１７４に送られる。チャフシーブ１７４上の脱粒物は、当該チャフシーブ１７４自体にて比重選別されると共に、唐箕ファン２９及び補助送風ファン１７０から後方に流れる選別風を受け、穀粒と藁屑とに分離される。
【００３２】
チャフシーブ１７４及びグレンシーブ１７６から落下した穀粒（一番物）は、その中の粉塵を唐箕ファン２９の選別風にて除去しながら一番コンベヤ機構３０に集められる。一番コンベヤ機構３０から取出された穀粒は、揚穀コンベヤ３２を介してグレンタンク６に搬入・収集される。チャフシーブ１７４及びグレンシーブ１７６を通過できなかった二番物や、チャフシーブ１７４後部から落下した二番物は、一番コンベヤ機構３０後方の二番コンベヤ機構３１に集められる。二番コンベヤ機構３１に集められた二番物は、二番還元コンベヤ３３を介して揺動選別盤２６の上面側に戻して再選別される。チャフシーブ１７４上の比較的重い藁屑は、ストローラック１７７上を経て排塵口２３から機外へ排出される。
【００３３】
次に、図３及び図４等を参照してコンバインの駆動構造を説明する。直進ポンプ及び直進モータを有する走行変速用の直進油圧式無段変速機６４をミッションケース６３に設ける。走行機体１前部の右側上面にエンジン７を搭載し、エンジン７左側の走行機体１前部にミッションケース６３を配置している。エンジン７から左側方に突出させた出力軸６５と、ミッションケース６３から左側方に突出させたミッション入力軸６６を、エンジン出力ベルト６７及びエンジン出力プーリ６８及びミッション入力プーリ６９を介して連結している。加えて、昇降用油圧シリンダ４等を駆動する作業部チャージポンプ５９及び冷却ファン１４９をエンジン７に配置し、作業部チャージポンプ５９及び冷却ファン１４９をエンジン７にて駆動する。
【００３４】
また、旋回ポンプ及び旋回モータを有する操舵用の旋回油圧式無段変速機７０をミッションケース６３に設け、ミッション入力軸６６を介して直進油圧式無段変速機６４と旋回油圧式無段変速機７０とにエンジン７の出力を伝達させる一方、操縦ハンドル４３と主変速レバー４４及び副変速レバーにて、直進油圧式無段変速機６４と旋回油圧式無段変速機７０を出力制御し、直進油圧式無段変速機６４と旋回油圧式無段変速機７０を介して左右の履帯２を駆動し、圃場内などを走行移動するように構成している。実施形態では、ミッションケース６３の右側面上部に直進及び旋回油圧式無段変速機６４，７０を配置している。
【００３５】
更に、扱胴軸２０の前端側を軸支する扱胴駆動ケース７１を備える（図４及び図５参照）。脱穀部９の前面側に扱胴駆動ケース７１を配置する。刈取部３と扱胴２１を駆動するための扱胴入力軸７２を扱胴駆動ケース７１に軸支する。また、脱穀部９の左右に貫通させる一定回転軸としての主カウンタ軸７６（第１カウンタ軸）を備える。主カウンタ軸７６の右側端部に作業部入力プーリ８３を設けている。エンジン７の出力軸６５上のエンジン出力プーリ６８に、テンションローラを兼用した脱穀クラッチ８４と作業部駆動ベルト８５を介して、主カウンタ軸７６の右側端部を連結している。
【００３６】
扱胴２１の前方に、走行機体１左右向きに延設された扱胴入力軸７２と、走行機体１左右向きに配置されたビータ１８と、走行機体１左右向きに延設された刈取入力軸８９を設けている。扱胴入力軸７２に主カウンタ軸７６の駆動力を伝達する扱胴入力機構９０として、扱胴駆動プーリ８６，８７と扱胴駆動ベルト８８を備え、エンジン７からの駆動力が伝達される主カウンタ軸７６のエンジン７側一端部に扱胴入力機構９０（扱胴駆動プーリ８６，８７と扱胴駆動ベルト８８）を配置し、エンジン７の一定回転出力にて扱胴２１を一定回転駆動するように構成している。
【００３７】
主カウンタ軸７６の駆動力をビータ軸８２及び刈取入力軸８９に伝達するビータ駆動機構及び刈取駆動機構が、主カウンタ軸７６の他端部側に設けられている。また、ビータ軸８２と主カウンタ軸７６との間に副カウンタ軸１０４（第２カウンタ軸）が配置されており、主カウンタ軸７６及び副カウンタ軸１０４に設けた動力中継プーリ１０５，１０６に、動力中継ベルト１１３が巻回されて、刈取駆動機構へ動力を伝達する動力中継機構を構成している。
【００３８】
副カウンタ軸１０４及びビータ軸８２それぞれに設けた刈取り駆動プーリ１０７，１０８に刈取り駆動ベルト１１４が巻回されて、ビータ駆動機構１８３（ロータ駆動機構）を構成している。そして、刈取り駆動ベルト１１４が、テンションローラを兼用した刈取クラッチ１０９（ロータテンション装置）により張設されることで、主カウンタ軸７６に伝達されたエンジン７からの回転動力が動力中継機構及びビータ駆動機構１８３を介してビータ軸８２に入力される。また、ビータ１８が軸支されたビータ軸８２から、刈取駆動チェン１１５及びスプロケット１１６，１１７を介して刈取入力軸８９にエンジン７からの刈取駆動力を伝達させるように、刈取駆動機構が構成されている。これにより、刈取部３が、ビータ１８と共にエンジン７の一定回転出力にて一定回転駆動する。
【００３９】
唐箕ファン２９の回転軸である唐箕軸１００は中空の管形状を有していて、唐箕軸１００の中空部分に主カウンタ軸７６が内挿されている。すなわち、主カウンタ軸７６と唐箕軸１００とで二重軸構造を有しており、主カウンタ軸７６と唐箕軸１００とは互いに相対回転可能に軸支されている。主カウンタ軸７６及び唐箕軸１００は、脱穀部９の前部側において左右横向きに延びている。副カウンタ軸１０４は、主カウンタ軸７６（唐箕軸１００）の前方において主カウンタ軸７６及び唐箕軸１００と平行状に延びている。そして、補助ファン軸１８４は、副カウンタ軸１０４と主カウンタ軸７６（唐箕軸１００）との前後方向の間で且つこれらの軸７６，１００，１０４よりも上方に、これらの軸７６，１００，１０４と平行な姿勢で位置している。
【００４０】
副カウンタ軸１０４及び唐箕軸１００それぞれに設けた唐箕駆動プーリ１０１，１０２と、補助ファン軸１８４の左突端側に設けた補助ファンプーリ１８５とに、唐箕駆動ベルト１０３が巻回されて、唐箕駆動機構１８６を構成している。従って、主カウンタ軸７６に伝達されたエンジン７からの回転動力が動力中継機構を介してビータ軸８２に入力される一方、唐箕駆動機構１８６を介して唐箕ファン２９及び補助送風ファン１７０に入力されて、唐箕ファン２９と補助送風ファン１７０とがエンジン７の一定回転出力にて一定回転駆動する。このように構成すると、唐箕駆動機構１８６を利用して補助送風ファン１７０を駆動できることになり、補助送風ファン１７０専用の動力伝達系統を設ける必要がない。補助送風ファン１７０が存在しない仕様であれば、副カウンタ軸１０４及び唐箕軸１００の唐箕駆動プーリ１０１，１０２に唐箕駆動ベルト１０３が巻回させて、唐箕駆動機構１８６を構成すれば足りることになる。従って、補助送風ファン１７０有り無しの仕様に拘らず、主カウンタ軸７６から副カウンタ軸１０４を経て唐箕軸１００に至る動力伝達系統（唐箕駆動機構１８６）を共通化することが可能になり、コスト抑制に寄与する。
【００４１】
また、側面視において主カウンタ軸７６（唐箕軸１００）と副カウンタ軸１０４との前後方向の間に補助ファン軸１８４を配置するから、主カウンタ軸７６ひいては唐箕軸１００で支持する唐箕ファン２９、補助ファン軸１８４で支持する補助送風ファン１７０、及び副カウンタ軸１０４を、脱穀部９の前部側にコンパクトにまとめて、脱穀部９全体での小型化を図ることが可能になっている。
【００４２】
実施形態では、脱穀部９の骨組を構成する左前支柱３４に、テンション装置としての刈取クラッチ１０９と副カウンタ軸１０４と唐箕駆動ベルト１０３に対する唐箕テンション装置１８９とを支持させている。この場合、図６に示すように、左前支柱３１の前面上部側に、クラッチ軸受体１８７を介して刈取クラッチ１０９の支軸部を取り付けている。刈取クラッチ１０９の支軸部は、片持ち梁の状態でクラッチ軸受体１８７に支持される。また、左前支柱３４の前面下部側には、副カウンタ軸受体１８８を介して副カウンタ軸１０４を取り付けている。副カウンタ軸１０４は、片持ち梁の状態で副カウンタ軸受体１８８に支持される。左前支柱３４の後面下部側には、唐箕テンション装置１８９の支軸部を取り付けている。副カウンタ軸１０４と唐箕テンション装置１８９の支軸部とを左前支柱３４の前後面に振り分けて配置している。このように構成すると、脱穀部９の強度メンバーである前支柱３４で刈取クラッチ１０９と副カウンタ軸１０４と唐箕テンション装置１８９を支持することになり、比較的大きな負荷のかかる刈取クラッチ１０９、副カウンタ軸１０４及び唐箕テンション装置１８９を高剛性に保持できる。刈取クラッチ１０９、副カウンタ軸１０４及び唐箕テンション装置１８９を高い支持強度で配置できる。
【００４３】
更に、脱穀部９における左右一対の前支柱３４の前部上面側に、刈取り支持枠体３６を設置している。刈取り支持枠体３６の前面右側に刈取り軸受体（図示省略）を取付け、刈取り支持枠体３６の前面左側に正逆転切換ケース１２１を取付けている。そして、刈取り軸受体と正逆転切換ケース１２１を介して、刈取り支持枠体３６の前面側に、左右横長の刈取入力軸８９を回動可能に軸支している。刈取り支持枠体３６の内部にビータ軸受体３８を介して左右向きのビータ軸８２（ビータ１８）を回動可能に軸支している。また、刈取り支持枠体３６の上面側に扱胴駆動ケース７１を取付け、扱胴駆動ケース７１に扱胴入力軸７２を軸支している。
【００４４】
一方、フィーダハウス１１内の供給コンベヤ１７を駆動する左右向きの刈取入力軸８９を備える。エンジン７から主カウンタ軸７６におけるエンジン７側一端部に伝達された刈取駆動力を、エンジン７とは反対側となる主カウンタ軸７６の他端部から、刈取正逆転切換ケース１２１の正逆転伝達軸１２２に伝達させる。刈取正逆転切換ケース１２１の正転用ベベルギヤ１２４又は逆転用ベベルギヤ１２５を介して刈取入力軸８９を駆動する。
【００４５】
また、脱穀部９前側に左右向きの扱胴入力軸７２が設けられ、エンジン７から主カウンタ軸７６におけるエンジン７側一端部に伝達された駆動力が、扱胴入力軸７２におけるエンジン７側一端部に伝達される。また、脱穀部９前側に設けた扱胴入力軸７２が、走行機体１左右向きに配置される一方、走行機体１前後向きに配置する扱胴軸２０に扱胴２１が軸支されている。そして、扱胴入力軸７２におけるエンジン７とは反対側の左右他端部にベベルギヤ機構７５を介して扱胴軸２０前端側が連結されている。主カウンタ軸７６におけるエンジン７とは反対側の左右他端部から、脱穀後の穀粒を選別する穀粒選別機構１０や刈取部３にエンジン７の駆動力を伝達させるよう構成している。
【００４６】
すなわち、主カウンタ軸７６のうちエンジン７に近い右側端部に、扱胴駆動プーリ８６，８７及び扱胴駆動ベルト８８を介して、扱胴入力軸７２の右側端部を連結する。左右方向に延設した扱胴入力軸７２の左側端部に、ベベルギヤ機構７５を介して扱胴軸２０の前端側を連結する。主カウンタ軸７６の右側端部から扱胴入力軸７２を介して扱胴軸２０の前端側にエンジン７の動力を伝達させ、扱胴２１を一方向に回転駆動させるように構成している。一方、主カウンタ軸７６の左側端部から、脱穀部９下方に配置した穀粒選別機構１０や刈取部３に、エンジン７の駆動力を伝達させるよう構成している。
【００４７】
更に、一番コンベヤ機構３０における一番コンベヤ軸７７の左側端部と、二番コンベヤ機構３１における二番コンベヤ軸７８の左側端部とに、コンベヤ駆動ベルト１１１を介して主カウンタ軸７６の左側端部を連結している。揺動選別盤２６後部を軸支したクランク状の揺動駆動軸７９の左側端部に揺動選別ベルト１１２を介して二番コンベヤ軸７８の左側端部を連結している。すなわち、オペレータの脱穀クラッチレバー操作によって、脱穀クラッチ８４が入り切り制御される。脱穀クラッチ８４の入り操作によって、穀粒選別機構１０の各部と扱胴２１が駆動されるように構成している。
【００４８】
なお、一番コンベヤ軸７７を介して揚穀コンベヤ３２が駆動されて、一番コンベヤ機構３０の一番選別穀粒がグレンタンク６に収集される。また、二番コンベヤ軸７８を介して二番還元コンベヤ３３が駆動されて、二番コンベヤ機構３１の藁屑が混在した二番選別穀粒（二番物）が揺動選別盤２６の上面側に戻される。排塵口２３に藁屑飛散用のスプレッダ（図示省略）を設ける場合、スプレッダ駆動プーリ１４４とスプレッダ駆動ベルト１４５とを介して、排塵口２３内にあるスプレッダに主カウンタ軸７６の左側端部を連結する。
【００４９】
図３及び図４に示すように、供給コンベヤ１７の送り終端側を軸支するコンベヤ入力軸としての刈取入力軸８９を備える。穀物ヘッダー１２の右側部背面側にヘッダー駆動軸９１を回転自在に軸支する。ビータ軸８２の左側端部に、刈取駆動チェン１１５及びスプロケット１１６，１１７を介して正逆転伝達軸１２２の左側端部を連結し、刈取入力軸８９が正逆転切換ケース１２１を介して正逆転伝達軸１２２と連結している。また、ヘッダー駆動チェン１１８及びスプロケット１１９，１２０を介して、左右方向に延設したヘッダー駆動軸９１の左側端部に、刈取入力軸８９の右側端部を連結する。掻込みオーガ１３を軸支する掻込み軸９３を備える。掻込み軸９３の右側部分に、掻込み駆動チェン９２を介してヘッダー駆動軸９１の中間部を連結している。
【００５０】
また、掻込みリール１４を軸支するリール軸９４を備える。リール軸９４の右側端部に、中間軸９５及びリール駆動チェン９６，９７を介して掻込み軸９３の右側端部を連結している。ヘッダー駆動軸９１の右側端部には、刈刃駆動クランク機構９８を介して刈刃１５が連結されている。刈取クラッチ１０９の入り切り操作によって、供給コンベヤ１７、掻込みオーガ１３、掻込みリール１４及び刈刃１５が駆動制御されて、圃場の未刈り穀稈の穂先側を連続的に刈取るように構成している。
【００５１】
なお、正逆転伝達軸１２２に一体形成する正転用ベベルギヤ１２４と、刈取入力軸８９に回転自在に軸支する逆転用ベベルギヤ１２５と、正転用ベベルギヤ１２４に逆転用ベベルギヤ１２５を連結させる中間ベベルギヤ１２６とを、正逆転切換ケース１２１に内設する。正転用ベベルギヤ１２４と逆転用ベベルギヤ１２５に中間ベベルギヤ１２６を常に歯合させる。一方、刈取入力軸８９にスライダ１２７をスライド自在にスプライン係合軸支する。爪クラッチ形状の正転クラッチ１２８を介して正転用ベベルギヤ１２４にスライダ１２７を係脱可能に係合可能に構成すると共に、爪クラッチ形状の逆転クラッチ１２９を介して逆転用ベベルギヤ１２５にスライダ１２７を係脱可能に係合可能に構成している。
【００５２】
また、スライダ１２７を摺動操作する正逆転切換軸１２３を備え、正逆転切換軸１２３に正逆転切換アーム１３０を設け、正逆転切換レバー（正逆転操作具）操作にて正逆転切換アーム１３０を揺動させて正逆転切換軸１２３を回動させ、正転用ベベルギヤ１２４又は逆転用ベベルギヤ１２５にスライダ１２７を接離させ、正転クラッチ１２８又は逆転クラッチ１２９を介して、正転用ベベルギヤ１２４若しくは逆転用ベベルギヤ１２５にスライダ１２７を択一的に係止し、正逆転伝達軸１２２に刈取入力軸８９を正転連結又は逆転連結させるように構成している。
【００５３】
テンションプーリ状のオーガクラッチ１５６及びオーガ駆動ベルト１５７を介して、エンジン７の出力軸６５にオーガ駆動軸１５８の右側端部を連結する。オーガ駆動軸１５８の左側端部にベベルギヤ機構１５９を介してグレンタンク６底部の横送りオーガ１６０前端側を連結する。横送りオーガ１６０の後端側にベベルギヤ機構１６１を介して穀粒排出コンベヤ８の縦送りオーガ１６２を連結し、縦送りオーガ１６２の上端側にベベルギヤ機構１６３を介して穀粒排出コンベヤ８の穀粒排出オーガ１６４を連結する。なお、詳細な図示は省略するが、運転座席４２後方であってグレンタンク６前面に、オーガクラッチ１５６を入り切り操作する穀粒排出レバーを取付け、運転座席４２側からオペレータが穀粒排出レバーを操作可能に構成している。
【００５４】
本願発明における各部の構成は図示の実施形態に限定されるものではなく、本願発明の趣旨を逸脱しない範囲で種々変更が可能である。
【符号の説明】
【００５５】
１  走行機体
９  脱穀部
９ａ  扱口
１０  穀粒選別機構
１１  フィーダハウス
１８  ビータ（フロントロータ）
２６  揺動選別盤
２９  唐箕ファン
３４  前支柱
３６  刈取り支持枠体
８２  ビータ軸（フロントロータ軸）
１００  唐箕軸
１０１  唐箕駆動プーリ
１０２  唐箕駆動プーリ
１０３  唐箕駆動ベルト
１０４  副カウンタ軸（第２カウンタ軸）
１０９  刈取クラッチ（ロータテンション装置）
１７０  補助送風ファン
１７１  投入室
１７８  吸引口
１７９  底面部
１８０  流通路
１８１  延設板
１８２  ケーシング
１８３  ビータ駆動機構（ロータ駆動機構）
１８４  補助ファン軸
１８５  補助ファンプーリ
１８６  唐箕駆動機構
１８７  クラッチ軸受体
１８８  副カウンタ軸受体
１８９  唐箕テンション装置
【図１】
2018166488.tif 000003
【図２】
2018166488.tif 000004
【図３】
2018166488.tif 000005
【図４】
2018166488.tif 000006
【図５】
2018166488.tif 000007
【図６】
2018166488.tif 000008